(57)【要約】【課題】稜線部で互いに重合する重合部のスポット溶接による熱変成による歪みの溶接部分からの波及を無くして、その付近の選別孔の目幅を所定値に保持し、選別精度の高い穀類選別機の回転多角選別筒を提供する。【解決手段】回転多角選別筒１は、その多角筒面を構成する多孔板２を稜線部３で互いに重合してその重合部を溶接して構成する。稜線部３で互いに隣接する多孔板２は、それらの端部が互いの面に沿った屈曲部４を成している。稜線部３で互いに重合する一方の多孔板２の外側の屈曲部４を他方の多孔板２にスポット溶接して、正８角筒の回転多角選別筒１を構成する。【選択図】        図１
2004243156.tif 000002
【特許請求の範囲】
【請求項１】
玄米または精米などの被選別穀類から細粒および欠損粒などの非整粒を選別除去する穀類選別機の回転多角選別筒において、
回転多角選別筒は、その多角筒面を構成する多孔板を稜線部で互いに重合してその重合部を溶接して構成し、
稜線部で互いに隣接する多孔板は、それらの端部が互いの面に沿った屈曲部を成していること
を特徴とする穀類選別機の回転多角選別筒。
【請求項２】
稜線部で互いに重合する一方の多孔板の外側の屈曲部を他方の多孔板にスポット溶接して構成することを特徴とする請求項１記載の穀類選別機の回転多角選別筒。
【請求項３】
回転多角選別筒は正８角筒であって、正８角筒を２分する形状の多孔板２枚を互いに隣接する稜線部で溶接して構成することを特徴とする請求項１または２記載の穀類選別機の回転多角選別筒。
【発明の詳細な説明】
【０００１】
【発明の属する技術分野】
本発明は、玄米または精米などの被選別穀類から細粒および欠損粒などの非整粒を選別除去する穀類選別機の回転多角選別筒に関するものである。
【０００２】
【従来の技術】
玄米または精米などの被選別穀粒から細粒および欠損粒などの非整粒を選別除去する穀類選別装置としては、回転選別筒型穀類選別機（ライスグレーダ）があるが、この種のライスグレーダーは、正多角形の回転多角選別筒を備えている。
【０００３】
【発明が解決しようとする課題】
ところで、従来のライスグレーダの回転多角選別筒は、その多孔面を構成する多孔板を稜線部で互いに重合してその重合部をスポット溶接して構成したものである。すなわち、図５に例示するように、回転多角選別筒の稜線部で互いに隣接する一方多孔板ａの端部に屈曲部ｂを形成してあって、他方の多孔板ｃの端部ｄを一方の多孔板ａの屈曲部ｂに重合し、一方の多孔板ａの屈曲部ｂから他方の多孔板ｃの端部ｄにかけてスポット溶接するので（ｅはスポット溶接部）、端部ｄが平坦な他方の多孔ｃにはスポット溶接による熱変成に起因して端部ｄの付近に歪みが生じ、その付近の選別孔ｆの目幅が所定値からはずれてしまい、選別精度の低下をきたす原因となっていた（図６の写真参照）。
【０００４】
なお、円筒形の回転選別筒に関し、円弧状多孔選別板のスポット溶接による歪みの影響を回避する技術については、特開平１０−３０９５２６号公報に開示がある。
【０００５】
そこで、本発明は、穀類選別機の回転多角選別筒において、上記問題点を解消すべく好適な技術を提案するものであって、稜線部で互いに隣接する一方および他方の多孔板のいずれとも、その端部に互いの面に沿った屈曲部を形成して端部を補強したものとすることにより、稜線部で互いに重合する重合部のスポット溶接による熱変成による歪みの溶接部分からの波及を無くして、その付近の選別孔の目幅を所定値に保持し、選別精度の向上を図ることを目的とするものである。
【０００６】
【課題を解決するための手段】
本発明の請求項１に係る穀類選別機の回転多角選別筒は、玄米または精米などの被選別穀類から細粒および欠損粒などの非整粒を選別除去する穀類選別機の回転多角選別筒において、回転多角選別筒は、その多角筒面を構成する多孔板を稜線部で互いに重合してその重合部を溶接して構成し、稜線部で互いに隣接する多孔板は、それらの端部が互いの面に沿った屈曲部を成していることを特徴とするものである。
【０００７】
また、本発明の請求項２に係る穀類選別機の回転多角選別筒は、請求項１の構成において、稜線部で互いに重合する一方の多孔板の外側の屈曲部を他方の多孔板にスポット溶接して構成することを特徴とするものである。
【０００８】
さらに、本発明の請求項３に係る穀類選別機の回転多角選別筒は、請求項１または２の構成において、回転多角選別筒は正８角筒であって、正８角筒を２分する形状の多孔板２枚を互いに隣接する稜線部で溶接して構成することを特徴とするものである。
【０００９】
【発明の実施の形態】
図１は本発明の一実施の形態に係る穀類選別機の回転多角選別筒の全体斜視図およびその円形で囲んだ部分の拡大斜視図、図２は同じく回転多角選別筒の要部を拡大して示す斜視図、図３は同じく回転多角選別筒の要部を示す写真、図４は本発明に係る回転多角選別筒を備えた穀類選別機の断面図である。
【００１０】
図１ないし図３において、１は本発明に係る穀類選別機の回転多角選別筒である。この回転多角選別筒１は、正８角筒であって、正８角筒を２分する形状の多孔板２を２枚互いに隣接する稜線部３で重合してスポット溶接して構成したものである。
【００１１】
稜線部３で互いに重合する一方の多孔板２は、その端部が他方の多孔板２の面に沿う屈曲部４を成しており、他方の多孔板２の端部も、一方の多孔板２の面に沿う屈曲部４を成していて、稜線部３で互いに重合する一方の多孔板２の外側の屈曲部４を他方の多孔板２に、適間隔ごとにスポット溶接して正８角筒の回転多角選別筒１を構成している。５はスポット溶接部である。
【００１２】
正８角筒の回転多角選別筒１を構成する各多孔板２には、その軸方向に平行な段部６を多数形成して、段部６には回転多角選別筒１回転方向に細長の選別孔７が規則正しく多数形成してある。８は回転軸である。
【００１３】
図４に示す穀類選別機９は、本明に係る回転多角選別筒１を備えたものである。１０は被選別穀類投入ホッパ、１１は整粒流出樋、１２は屑粒流出樋、１３は電動機であって、回転多角選別筒１を回転させる動力源である。
【００１４】
本発明に係る回転多角選別筒１は、以上説明したように、稜線部３で互いに隣接する一方の多孔板２および他方の多孔板２のいずれとも、その端部に互いの面に沿った屈曲部４を形成してあるので、一方の多孔板２および他方の多孔板２は、それらの端部が補強されたものとなり、稜線部３で互いに重合する重合部をスポット溶接しても、スポット溶接に伴う熱変成による歪みは溶接部分から周辺に波及することが無くなる。このため、稜線部３で互いに重合する重合部付近の選別孔７の目幅を所定値に保持することができ、選別精度の向上を図ることができるものである。
【００１５】
【発明の効果】
本発明によれば、稜線部で互いに隣接する一方および他方の多孔板のいずれとも、その端部に互いの面に沿った屈曲部を形成して端部を補強したものとすることにより、稜線部で互いに重合する重合部のスポット溶接による熱変成による歪みの溶接部分からの波及を無くして、その付近の選別孔の目幅を所定値に保持し、選別精度の向上を図ることができる。
【図面の簡単な説明】
【図１】本発明の一実施の形態に係る穀類選別機の回転多角選別筒の全体斜視図およびその円形で囲んだ部分の拡大斜視図である。
【図２】同上回転多角選別筒の要部を拡大して示す斜視図である。
【図３】同上回転多角選別筒の要部を示す写真である。
【図４】本発明に係る回転多角選別筒を備えた穀類選別機の断面図である。
【図５】同上回転多角選別筒の一部を拡大して示す斜視図である。
【図６】同上回転多角選別筒の要部を示す写真である。
【符号の説明】
１  回転多角選別筒
２  多孔板
３  稜線部
４  屈曲部
５  スポット溶接部
６  段部
７  選別孔
８  回転軸
９  穀類選別機
１０  被選別穀類投入ホッパ
１１  整粒流出樋
１２  屑粒流出樋
１３  電動機
【図１】
2004243156.tif 000003
【図２】
2004243156.tif 000004
【図３】
2004243156.tif 000005
【図４】
2004243156.tif 000006
【図５】
2004243156.tif 000007
【図６】
2004243156.tif 000008